(57)【要約】【課題】焦点距離を制御するレンズアレイにおいて、レンズピッチの変更を抑制することができるレンズアレイを提供する。【解決手段】レンズアレイは、表面に電極が形成された基板と、前記基板及び前記電極の表面に形成された絶縁層と、前記基板及び前記絶縁層に溝として設けられる複数の隔壁と、前記複数の隔壁間に、電解液によって形成されたレンズと、前記電極と前記電解液とに接続された配線を有する。【選択図】図１
2015158623.tif 000002
【特許請求の範囲】
【請求項１】
表面に電極が形成された基板と、
前記基板及び前記電極の表面に形成された絶縁層と、
前記基板及び前記絶縁層に溝として設けられる複数の隔壁と、
前記複数の隔壁間に、電解液によって形成されたレンズと、
前記電極と前記電解液とに接続された配線
を有することを特徴とするレンズアレイ。
【請求項２】
前記複数の隔壁と接して前記レンズを覆う蓋板をさらに有する
ことを特徴とする請求項１に記載のレンズアレイ。
【請求項３】
前記溝に導電性物質を有し、該導電性物質は前記電極を接続する
ことを特徴とする請求項１又は２に記載のレンズアレイ。
【請求項４】
前記複数の隔壁は前記基板に対して格子状に設けられ、
前記導電性物質は格子の頂点部分を含むように設けられて前記電極を接続する
ことを特徴とする請求項３に記載のレンズアレイ。
【請求項５】
樹脂基板の表面に電極を形成する電極形成ステップと、
前記電極が形成された樹脂基板の表面に絶縁層を形成する絶縁形成ステップと、
前記電極を切断する溝によって複数の隔壁を形成する隔壁形成ステップと、
前記隔壁間に、電解液によってレンズを形成するレンズ形成ステップと、
前記電極と前記電解液とを接続するように配線する配線ステップ
を有することを特徴とするレンズアレイ製造方法。
【請求項６】
前記溝に導電処理を施す導電ステップ
を有し、
前記導電性物質は前記溝によって切断された電極を接続する
ことを特徴とする請求項５に記載のレンズアレイ製造方法。
【発明の詳細な説明】
【技術分野】
【０００１】
本発明は、レンズアレイ及びレンズアレイ製造方法に関する。
【背景技術】
【０００２】
特許文献１には、作製が容易で微細加工が可能であり、加工精度に起因する光軸のバラツキと電圧駆動時の液滴の偏心を抑えることを課題とし、レンズアレイは、導電性の第１の液体と絶縁性の第２の液体（液滴）が互いに混和することなく充填された密閉性のセルの内部に、液滴を収容する角錐状の凹部が二次元的に複数形成されており、凹部が角錐状に形成されることによって、当該凹部に収容される液滴のセンタリング性を高めることができ、液滴の界面によって形成されるレンズ素子の光軸のバラツキを抑えることができ、また、光軸を安定に保持して電圧駆動時の液滴の偏心を防ぐことができ、さらに、当該凹部が円錐状である場合に比べて微細加工が容易であり、凹部の稠密配置が可能となることが開示されている。
【０００３】
特許文献２には、透明性の向上を図る上で有利な光学素子を提供することを課題とし、光学素子は、容器と、第１、第２の液体と、第１の電極と、第２の電極と、絶縁膜と、撥水膜と、電圧印加手段とを含んで構成されており、容器の厚さ方向から見て、第１の電極には第１の電極開口部が設けられ、第２の電極には第２の電極開口部が設けられ、絶縁膜には絶縁膜開口部が設けられ、撥水膜には撥水膜開口部が設けられており、電第２の液体部分で形成される透過路の直径もＤ１乃至Ｄｍａｘにわたって増減し、光学素子の入射面から入射した光は、透過路の直径の大小に拘わらず、第１の端面壁を透過したのち、第１の電極開口部、第２の液体部分、撥水膜開口部、絶縁膜開口部、第２の電極開口部、第２の端面壁をこの順番で透過することが開示されている。
【０００４】
特許文献３には、表面の所定の位置に、滴をセンタリングする方法として、鐘形のくぼみを形成することよりなり、該くぼみは、滴とくぼみの接触の境界のポイントにおいて、該ポイントならびに対称ポイントの両方で表面に接している円の曲率よりも小さい、又はそれと反対の曲率を備えるよう該位置に形成されることが開示されている。
【先行技術文献】
【特許文献】
【０００５】
【特許文献１】特開２００７−２１２９４３号公報
【特許文献２】特開２００９−１２８７９１号公報
【特許文献３】特表２００２−５４０４６４号公報
【発明の概要】
【発明が解決しようとする課題】
【０００６】
本発明は、焦点距離を制御するレンズアレイにおいて、レンズピッチの変更を抑制することができるレンズアレイ及びレンズアレイ製造方法を提供することを目的としている。
【課題を解決するための手段】
【０００７】
かかる目的を達成するための本発明の要旨とするところは、次の各項の発明に存する。
請求項１の発明は、表面に電極が形成された基板と、前記基板及び前記電極の表面に形成された絶縁層と、前記基板及び前記絶縁層に溝として設けられる複数の隔壁と、前記複数の隔壁間に、電解液によって形成されたレンズと、前記電極と前記電解液とに接続された配線を有することを特徴とするレンズアレイである。
【０００８】
請求項２の発明は、前記複数の隔壁と接して前記レンズを覆う蓋板をさらに有することを特徴とする請求項１に記載のレンズアレイである。
【０００９】
請求項３の発明は、前記溝に導電性物質を有し、該導電性物質は前記電極を接続することを特徴とする請求項１又は２に記載のレンズアレイである。
【００１０】
請求項４の発明は、前記複数の隔壁は前記基板に対して格子状に設けられ、前記導電性物質は格子の頂点部分を含むように設けられて前記電極を接続することを特徴とする請求項３に記載のレンズアレイである。
【００１１】
請求項５の発明は、樹脂基板の表面に電極を形成する電極形成ステップと、前記電極が形成された樹脂基板の表面に絶縁層を形成する絶縁形成ステップと、前記電極を切断する溝によって複数の隔壁を形成する隔壁形成ステップと、前記隔壁間に、電解液によってレンズを形成するレンズ形成ステップと、前記電極と前記電解液とを接続するように配線する配線ステップを有することを特徴とするレンズアレイ製造方法である。
【００１２】
請求項６の発明は、前記溝に導電処理を施す導電ステップを有し、前記導電性物質は前記溝によって切断された電極を接続することを特徴とする請求項５に記載のレンズアレイ製造方法である。
【発明の効果】
【００１３】
請求項１のレンズアレイによれば、焦点距離を制御するレンズアレイにおいて、レンズピッチの変更を抑制することができる。
【００１４】
請求項２のレンズアレイによれば、基板を傾けた場合にレンズである電解液が流れてしまうことを抑制することができる。
【００１５】
請求項３のレンズアレイによれば、本構成を有していない場合に比較して、配線数を減少させることができる。
【００１６】
請求項４のレンズアレイによれば、焦点距離を制御する２次元レンズアレイにおいて、レンズピッチの変更を抑制することができる。
【００１７】
請求項５のレンズアレイ製造方法によれば、焦点距離を制御するレンズアレイにおいて、レンズピッチの変更を抑制するレンズアレイを製造することができる。
【００１８】
請求項６のレンズアレイ製造方法によれば、本構成を有していない場合に比較して、配線数を減少させるレンズアレイを製造することができる。
【図面の簡単な説明】
【００１９】
【図１】レンズアレイの製造方法の例を示す説明図である。
【図２】レンズの焦点距離を制御する原理の例を示す説明図である。
【図３】レンズの焦点距離の制御によってレンズを変形させる例を示す説明図である。
【図４】レンズの焦点距離を制御する例を示す説明図である。
【図５】刃によって隔壁を形成する例を示す説明図である。
【図６】レンズアレイの製造方法例を示すフローチャートである。
【図７】レンズアレイに蓋板を用いた形態例を示す説明図である。
【図８】レンズアレイの配線例を示す説明図である。
【図９】レンズアレイの配線例を示す説明図である。
【図１０】２次元レンズアレイの製造方法例を示す説明図である。
【図１１】２次元レンズアレイの配線例を示す説明図である。
【図１２】２次元レンズアレイの配線例を示す説明図である。
【発明を実施するための形態】
【００２０】
まず、本実施の形態を説明する前に、その前提となる技術について説明する。なお、この説明は、本実施の形態の理解を容易にすることを目的とするものである。
レンズアレイとは、正立像を形成する要素レンズ（レンズエレメント）を複数並列的に配列し、像を重ね合わせて全体で１個の連続像を形成する光学系であり、半円柱のレンズを並べたレンチキュラーレンズ等を含む。例えば、３次元画像（３Ｄともいう）を表現すること、視線を換えることによって複数の画像を表示すること（チェンジングともいう）ができる。配列としては、後述する図１の例のように１次元的に配列したもの（例えば、シリンドリカルレンズアレイ等）、図１０の例のように２次元的に配列したもの（例えば、正方形レンズアレイ等の２次元レンズアレイ）等のマイクロレンズアレイが含まれる。
また、レンチキュラーレンズやフライアイレンズのようなレンズアレイを用いた立体（３Ｄ）表示技術が知られている。この技術では、レンズアレイを平面（２Ｄ）画面（例えば、液晶ディスプレイ等）に重ねて用いられる。通常、レンズアレイの焦点面にディスプレイ面がくることになる。
表示される画像（動画等の映像を含む）の立体感はレンズの焦点距離により影響されるため、表現したい立体感に応じてレンズの焦点距離を制御できることが望ましい。
さらに、通常の２Ｄ画像やテキストを表示する場合（３Ｄ画像以外の画像を表示する場合）、レンズアレイが存在すると、そのレンズアレイの下にある通常の２Ｄ画像やテキストの認識がしづらくなる。
【００２１】
これらは、レンズの焦点距離が固定であるために生じる。
レンズの焦点距離を制御する方法として、Ｅｌｅｃｔｒｏｗｅｔｔｉｎｇ効果を用いたレンズが知られている（文献：Ａｐｐｌ.  Ｐｈｙｓ.  Ｌｅｔｔ,  ８５,  １１２８（２００４）,  Ｒ.  Ｓｈａｍａｉ,  ｅｔ  ａl,  Ｓｏｆｔ  Ｍａｔｔｅｒ,  ４,  ３８（２００８））。この技術は、電解液の液滴形状を電場で制御することで、電解液で構成されるレンズの焦点距離（曲率）を制御する技術である。
図２は、レンズの焦点距離を制御する原理の例を示す説明図である。樹脂基板１００の表面に絶縁層１２０が形成されており、絶縁層１２０上に液滴である電解液１６０があり、樹脂基板１００と電解液１６０との間に電圧を印可（電場を生成）して、その電解液１６０の形状を変形させた例を示している。図２（ｂ）の例に示すように、形状が変更した電解液１６０はレンズ幅が変化する。つまり、レンズピッチが変化することとなる。
【００２２】
レンズピッチを変えずにレンズ効果の有無を切り替える（２Ｄ／３Ｄ表示の切り替え）には、レンズ材料（液体）を凹状の基板面に塗布することが必要である。
特許文献３には、レンズ位置のセンタリング性を向上させるために、基板に円錐状凹部を設けることが記載されている。しかし、円錐状の凹部を精度よく作製することは非常に困難である。それを解決するために、特許文献１では、凹部を角錐状にすることが記載されている。
【００２３】
以下、図面に基づき本発明を実現するにあたっての好適な一実施の形態の例を説明する。
本実施の形態のレンズアレイは、表面に電極が形成された基板と、基板及び電極の表面に形成された絶縁層と、基板及び絶縁層に溝として設けられる複数の隔壁と、複数の隔壁間に、電解液によって形成されたレンズと、電極と電解液とに接続された配線によって構成されている。なお、基板として樹脂基板を例示して説明する。また、「基板及び絶縁層に溝として設けられる複数の隔壁」とは、例えば、電極を切断する溝によって形成された複数の隔壁である。このレンズアレイは、Ｅｌｅｃｔｒｏｗｅｔｔｉｎｇ効果（電気的濡れ性効果）を用いたものである。Ｅｌｅｃｔｒｏｗｅｔｔｉｎｇ効果とは、電極上の膜に置かれた液滴に電圧を加えることにより、液滴の接触角が変化する現象のことであり、図４を用いて詳述する。
【００２４】
レンズアレイ、そのレンズアレイの製造方法について、図１、図３〜６を用いて説明する。図１は、レンズアレイの製造方法の例を示す説明図である。図３は、レンズの焦点距離の制御によってレンズを変形させる例を示す説明図である。図４は、レンズの焦点距離を制御する例を示す説明図である。図５は、刃によって隔壁を形成する例を示す説明図である。図６は、レンズアレイの製造方法例を示すフローチャートである。このフローチャートにしたがって、各図を用いて説明する。図１等では、シリンドリカルレンズを例にして説明するが、この製造方法はレンズ形状にはよらず適用可能である。例えば、正方形レンズ、円形レンズ等がある。
【００２５】
ステップＳ６０２では、樹脂基板１００を作成する。樹脂基板１００は、透明な基板であればよく、後述するように、樹脂基板１００の表面に電極１１０（この電極１１０は膜状のものであってもよい）、絶縁層１２０を形成できるものであればよい。また、隔壁を形成する一部となるので、刃等で凹部を形成できるものであればよい。より具体的には、樹脂基板１００としては透明性と寸法安定性の高い樹脂が望ましく、例えば、シクロオレフィン樹脂、ポリカーボネート樹脂、ＰＥＴＧ、シクロオレフィン樹脂の例として、ＡＲＴＯＮ（Ｒ）（ＪＳＲ社製）とゼオネックス（Ｒ）（日本ゼオン社製）等がある。
【００２６】
ステップＳ６０４では、図１（ａ）の例に示すように、樹脂基板１００の表面に電極１１０を形成する。例えば、蒸着等により金属膜等の電極１１０を形成すればよい。この電極１１０がレンズアレイの電極となる。なお、電極１１０が透明であれば、樹脂基板１００の表面全面であってもよい。透明電極の例として、ＩＴＯ（酸化インジウムスズ）、ＺｎＯ（酸化亜鉛）等がある。ただし、一般的にはレンズを形成する領域には形成せず、隔壁を形成する箇所（スクラッチライン１３０ａ、スクラッチライン１３０ｂ）に電極１１０ａ、電極１１０ｂを形成する。
【００２７】
ステップＳ６０６では、図１（ｂ）の例に示すように、電極１１０を含む樹脂基板１００に絶縁層１２０を形成して、レンズ基板１９０を作成する。本実施の形態における絶縁層１２０としては、絶縁性のあるものであれば特に制限はないが、透明性が高いものが望ましい。絶縁層１２０に用いられる樹脂としては、樹脂基板１００に用いられるものと同じ樹脂やフッ素樹脂がある。
ステップＳ６０４で電極１１０を形成した樹脂基板１００の表面にさらに、絶縁層１２０を形成する。例えば、スピンコート等の技術を用いればよい。さらに、絶縁層１２０の表面に撥液処理を施してもよい。以下、この多層基板をレンズ基板１９０と呼ぶ。
【００２８】
ステップＳ６０８では、図１（ｃ１）、（ｃ２）の例に示すように、レンズ基板１９０の表面を刃１８０でスクラッチして、隔壁を形成する。図１（ｃ２）の例は、隔壁を形成したレンズ基板１９０の断面図を示すものである。隔壁の形成とは、図５（ａ）の例に示すように、ステップＳ６０６で作成したレンズ基板１９０に対して、鋭利な刃１８０でスクラッチして、隔壁（隔壁１４２ａ１、隔壁１４２ａ２等）を形成する。なお、図５の例では、説明を簡略化するため、電極１１０を省略している。ここで、「刃によって隔壁を形成」とは、絶縁層１２０に刃１８０を切り込ませて、溝（溝１４０ａ等）を作り、その刃１８０の両側に絶縁層１２０（隔壁の一部として樹脂基板１００、電極１１０を含む）を盛り上がらせることによって隔壁（隔壁１４２ａ１、隔壁１４２ａ２等）を作成することである。また、刃１８０による隔壁形成によって電極１１０を切断することとなる。図１（ｃ１）の例では、電極１１０ａは電極１１０ａ１、電極１１０ａ２に切断されており、電極１１０ｂは電極１１０ｂ１、電極１１０ｂ２に切断されている。
「溝」と「隔壁間」について説明する。「溝」とは、後述するレンズを形成する隔壁間とは異なり、１つの組である第１の隔壁と第２の隔壁の間にある溝のことであり、溝にはレンズは形成されず、レンズとレンズの間の領域になる。「隔壁間」とは、２つの組の隔壁があり、前述と同様に１つの組は第１の隔壁と第２の隔壁であり、もう１つの組は第３の隔壁と第４の隔壁である場合、第２の隔壁と第３の隔壁が隣り合う場合、第２の隔壁と第３の隔壁の間のことであり、レンズが形成される領域である。刃によって隔壁を形成した場合、「溝」は１つの刃によって形成されたスクラッチ跡である。「隔壁間」は、２つの刃によって形成された４つの隔壁（２組の隔壁）のうち、中央の２つの隔壁間（一方の組の隔壁と他方の組の隣り合う隔壁との間）のことである。図１（ｃ２）の例で示すと、溝１４０ａは隔壁１４２ａ１と隔壁１４２ａ２の間にあり、隔壁間１５０は隔壁１４２ａ２と隔壁１４２ｂ１の間である。
なお、隔壁形成の方法として、刃１８０の引っ掻き以外に、レーザー光照射、溶剤によるエッチング、型による押し当て、これらの組み合わせでもよい。
【００２９】
ステップＳ６１０では、図５（ｂ）の例に示すように、滴下装置を用いて隔壁間に電解液１６０を吐出する。本実施の形態に用いられる電解液１６０としては、導電性をもつ液体であれば特に制限はない。例えば、塩のようなイオン成分を加えた水（食塩水、硫酸ナトリウム水溶液など）が挙げられる。隔壁間１５０が凹部となり、レンズを形成する箇所となる。これによって、図２（ｃ）を用いて前述したように、電圧を印可してもレンズピッチの変化を抑制することになる。
ステップＳ６１２では、図１（ｄ）の例に示すように、配線処理を施す。電極１１０ａ２に電線１７０ａを接続し、電極１１０ｂ１に電線１７０ｂを接続し、電解液１６０に電線１７４を接続し、電源１７０によって電圧を印可する。電解液１６０によりレンズ形状を形成し、電圧印加によりレンズ形状を制御する。つまり、電圧印可を制御することによってレンズ（電解液１６０）の曲率を変化させて、図３（ａ）の例に示すように３Ｄレンズ用に電解液１６０を盛り上がらせたり、図３（ｂ）の例に示すように２Ｄレンズ用（レンズ効果なし）に平面にしたりすることができる。もちろんのことながら、図３（ａ）の例と図３（ｂ）の例の中間の曲率に変化させることもできる。なお、図１では、１つのレンズの例を示しているが、レンズアレイであるので複数のレンズであることは明らかである。
【００３０】
図４に示す例を用いて、Ｅｌｅｃｔｒｏｗｅｔｔｉｎｇ効果による曲率（接触角）の制御について説明する。図４（ａ）の例は電源ＯＦＦの状態を示しており、図４（ｂ）の例は電源ＯＮの状態を示している。なお、θ０、θは隔壁１４２ａ２に対する電解液１６０の表面の接触角を示している。
【数１】
2015158623.tif 000003
この（１）式により、接触角θは、静電容量Ｃや電圧Ｖが大きくなるにつれて小さくなる。つまり、表面電荷により接触角は減少する（θ０＞θ）。
【００３１】
また、隔壁間にレンズを形成するレンズアレイとして、図７の例に示すようにしてもよい。つまり、レンズアレイの上部に、複数の隔壁と接しており、レンズを覆うように透明な蓋板７００を設けてもよい。本実施の形態における蓋板７００は、透明性があるガラスや樹脂が用いることができる。レンズアレイが使用される波長に対して透明性が高いことが望ましい。蓋板７００の例として、樹脂基板１００で用いられる樹脂と同じものが挙げられる。
そして、蓋板７００側の電解液１６０に接続する電極として電極７１０ａ２、電極７１０ｂ１を用いてもよい。電極７１０ａ２の位置は隔壁１４２ａ２側にあり、電極７１０ｂ１の位置は隔壁１４２ｂ１側にある。例えば、電極７１０ａ２と電極１１０ａ２の２つの間で電場を作る。そして、隔壁間１５０には、オイル７６０、電解液１６０を収める。このようにすることによって、レンズアレイを水平だけでなく、垂直等の状態でも用いることができるようになる。
なお、蓋板７００側にある電極について、透明電極を採用したならば、蓋板７００の全面に形成することも可能である。
【００３２】
図８は、レンズアレイの配線例を示す説明図である。電解液８６０、電解液８６２、電解液８６４等のように、レンズが複数あり、電解液８６０に対して電線８７２ａ、電線８７２ｂ、電線８７４ａがあり、電解液８６２に対して電線８７２ｃ、電線８７２ｄ、電線８７４ｃがあり、電解液８６４に対して電線８７２ｅ、電線８７２ｆ、電線８７４ｅがある。つまり、配線は、レンズ基板１９０側に１つのレンズにつき２つの配線（例えば、電解液８６０に対して電線８７２ａ、電線８７２ｂ）が必要となる。なお、レンズアレイの個々のレンズの形状を制御する必要があるならば、個々のレンズ用の電源に配線すればよい。
【００３３】
図８の例に示した配線を減少させるために、レンズアレイ内の溝に導電性物質を有し、その導電性物質によってその溝によって切断された電極を接続させる。図９は、レンズアレイの配線例を示す説明図である。
レンズアレイの各溝に導電処理を施して配線を減少している。つまり、レンズ基板１９０側の配線は、図８の例では６本（電線８７２ａ〜８７２ｆ）であったが、図９（ａ）の例では４本（電線９７２ａ、９７２ｃ、９７２ｅ、９７２ｆ）である。図９（ｂ）の例は、図９（ａ）の例の説明領域９５０の横断面を拡大したものである。
溝部分に導電性物質９１０、導電性物質９２０を入れることにより、電極１１０ａ１と電極１１０ａ２を接続し、電極１１０ｂ１と電極１１０ｂ２を接続している。例えば、銀などの導電性を有する金属粒子をバインダーとなる樹脂に分散させた液体をディスペンサやインクジェット機器により溝内に塗布し硬化させることによって、導電性物質９１０、導電性物質９２０を形成する。導電性物質として、例えば、導電性ペーストである藤倉化成株式会社製のドータイトＤ５００、Ｄ３６２、Ｄ５５０、アサヒ化学研究所製のＬＳ−４５３−１等がある。
【００３４】
次に、図１０を用いて、２次元レンズアレイの製造方法について説明する。もちろんのことながら、ここでのレンズ基板１９０にも電極１１０、絶縁層１２０が形成されている。
この製造方法は、隔壁構造を格子状に形成するものである。主に正方形レンズの製造方法について、図１０を用いて説明する。
図１０（ａ）の例に示すような一方向（垂直方向）の隔壁形成を行う。つまり、レンズ基板１９０に対して、刃（Ｂｌａｄｅ）１０１０によって垂直方向の溝（溝１０２０、１０３０、１０４０等）をつけることによって隔壁（隔壁１０２２、１０２４、１０３２、１０３４、１０４２、１０４４等）を生成する。
次に、図１０（ｂ）の例に示すような正方形開口の形成を行う。つまり、図１０（ａ）とは異なる方向での隔壁形成を行う。つまり、レンズ基板１９０に対して、刃１０１０によって水平方向の溝（溝１０７０、１０８０等）をつけることによって隔壁（隔壁１０７２、１０７４、１０８２、１０８４等）を生成する。例えば、隔壁１０４４、１０５２、１０７４、１０８２によって１つの正方形開口が形成される。
なお、刃１０１０をレンズ基板１９０に対して、相対的に移動することで隔壁を形成しているが、正方形開口の形状をした刃（金型）を基板に押し当てて隔壁を形成してもよい。レーザー光によるアブレーションにより溝構造を形成してもよい。また、この場合、刃の形状として、正方形開口以外に、多角形開口（例えば、長方形（縦と横の長さが異なる四角形）、六角形等）、円開口、楕円開口等を含んでいてもよい。なお、レンズの形状（開口）とは、隔壁によって囲まれた領域の形状のことをいう。
図１０（ｃ）の例に示すような滴下装置１０９６による電解液の吐出を行う。レンズ基板１９０の第１の隔壁（隔壁１０２２、１０２４、１０３２、１０３４、１０４２、１０４４等）と第２の隔壁（隔壁１０７２、１０７４、１０８２、１０８４等）によって囲まれた領域（ここでは、正方形）に電解液（電解液１０２６、１０３６、１０４６、１０５６等）を充填する。つまり、レンズ基板１９０に生成された隔壁に囲まれた孔にレンズ材の電解液１０３６等を滴下する。
【００３５】
図１１は、２次元レンズアレイの配線例を示す説明図である。図１０の例のように製造されたレンズアレイにおいても、前述した図９の例に示すように溝において配線を接続することができる。図１１の例では、電極１１００ａと電極１１００ｂを導電性物質１１００によって接続し、電極１１１０ａと電極１１１０ｂを導電性物質１１１０によって接続し、電極１１２０ａと電極１１２０ｂを導電性物質１１２０によって接続し、電極１１３０ａと電極１１３０ｂを導電性物質１１３０によって接続したものである。つまり、各レンズ周囲の溝によって切断された電極を接続するように導電性物質を入れる。これによって、レンズ基板１９０側における各レンズの配線はそれぞれ１箇所で済むことになる。
【００３６】
図１２は、２次元レンズアレイの配線例を示す説明図である。図１２の例では、電極１１００ａと電極１１００ｂと電極１１１０ａと電極１１１０ｂと電極１１２０ａと電極１１２０ｂと電極１１３０ａと電極１１３０ｂを導電性物質１２００によって接続したものである。つまり、隣り合うレンズの溝によって切断された電極を接続するように導電性物質を入れる。ここで隣り合うレンズとは、電極が切断された箇所（導電性物質１２００の位置）の周囲にあるレンズ群（図１２の例の場合は４つ）のことをいう。これによって、レンズアレイの配線は全体で１箇所で済むことになる。
【００３７】
上述した実施の形態は、本発明の実施の形態の一態様であり、これに限定されるものではなく、本発明の要旨を逸脱しない範囲内において種々変形実施可能である。
【符号の説明】
【００３８】
１００…樹脂基板
１１０…電極
１２０…絶縁層
１３０…スクラッチライン
１４０…溝
１４２…隔壁
１５０…隔壁間
１６０…電解液
１７０…電源
１７０ａ、１７０ｂ…電線
１７４…電線
１８０…刃
１９０…レンズ基板
【図１】
2015158623.tif 000004
【図２】
2015158623.tif 000005
【図３】
2015158623.tif 000006
【図４】
2015158623.tif 000007
【図５】
2015158623.tif 000008
【図６】
2015158623.tif 000009
【図７】
2015158623.tif 000010
【図８】
2015158623.tif 000011
【図９】
2015158623.tif 000012
【図１０】
2015158623.tif 000013
【図１１】
2015158623.tif 000014
【図１２】
2015158623.tif 000015